(57)【要約】  外周面（３８）を備えた折り胴（３０）は、胴の外周面における第１の部分（６６）を有する第１の区分（６２）と、胴の外周面における第２の部分（６８）を有する第２の区分（６４）とを有しており、第１の区分は第２の区分に対して可動であり、第１の部分（６６）が、第１の動作モードにおいて外周面における第２の部分（６８）から間隙（９０）によって間隔を置かれている。周面部分（７０）は、第１の部分（６６）に可動に取り付けられており、第１の動作モードの間、外周面の間隙部分を規定する。周面部分（７０）は、外周面に配置されている時、第１の部分（６６）に対して半径方向内方へ自由に回転可能である。周面部分（７０）は、周面部分（７０）を第２の部分（６８）の下方へ引っ込めるために第１の区分部分（６８）と相互作用するために外周面に面した半径方向に延びた傾斜した面（７１）も有している。
2007501754.tif 000002
【特許請求の範囲】
【請求項１】
外周面を備えた折り胴において、
胴の外周面における第１の部分を有する第１の区分と、
胴の外周面における第２の部分を有する第２の区分とが設けられており、第１の区分が第２の区分に対して可動であり、第１の部分が外周面における第２の部分から第１の動作モードにおいて間隙によって間隔を置かれており、
第２の区分に可動に取り付けられた周面部分が設けられており、該周面部分が、第１の動作モードの間、間隙において、外周面の部分を規定しており、前記周面部分が、外周面に配置されている時に第２の区分に対して半径方向内方へ自由に回転可能であることを特徴とする、外周面を備えた折り胴。
【請求項２】
半径方向内方とは反対の方向での周面部分の回転を阻止するために、第２の区分にストッパが設けられている、請求項１記載の折り胴。
【請求項３】
周面部分を半径方向内方とは反対方向に押しつけるばねが設けられている、請求項１記載の折り胴。
【請求項４】
第２の動作モードの間、周面部分を半径方向内方へ押しつけるように第１の部分が周面部分に接触する、請求項１記載の折り胴。
【請求項５】
第１の区分に取り付けられた第１のジョウと、第２の区分に取り付けられた第２のジョウとが設けられている、請求項１記載の折り胴。
【請求項６】
周面部分を第１の部分の下方に引っ込めるために、前記周面部分が、第１の区分と相互作用するための外周面に面した半径方向に延びた傾斜した面を有している、請求項１記載の折り胴。
【請求項７】
前記傾斜した面が、第１の区分と同じ軸方向範囲を有している、請求項６記載の折り胴。
【請求項８】
第１の部分が、外周面とは反対側に面した、別の半径方向に延びた傾斜した面を有している、請求項６記載の折り胴。
【請求項９】
外周面を備えた折り胴において、
胴の外周面における第１の部分を有する第１の区分と、
胴の外周面における第２の部分を有する第２の区分とが設けられており、第１の区分が第２の区分に対して可動であり、第１の部分が、第１の動作モードにおいて外周面における第２の部分から間隙によって間隔を置かれており、
第２の区分に可動に取り付けられた周面部分が設けられており、該周面部分が、第１の動作モードの間、間隙において外周面の部分を形成しており、周面部分が、該周面部分を第１の部分の下方に引っ込めるために第１の区分と相互作用するために外周面に面した半径方向に延びた傾斜した面を有していることを特徴とする、折り胴。
【請求項１０】
傾斜した面が、第１の区分と同じ軸方向範囲を有している、請求項９記載の折り胴。
【請求項１１】
半径方向内方とは反対方向での周面部分の回転を阻止するために、第２の区分にストッパが設けられている、請求項９記載の折り胴。
【請求項１２】
周面部分を半径方向内方とは反対に押しつけるためのばねが設けられている、請求項９記載の折り胴。
【請求項１３】
第１の部分が、外周面とは反対側に面した別の半径方向に延びた傾斜した面を有している、請求項９記載の折り胴。
【請求項１４】
折り機における胴におけるモードを変更する方法において、
胴の第１の区分を第２の区分に対して移動させて第１の区分と第２の区分との間の間隙を狭め、第１の区分が胴の外周面において第１の部分を有しており、第２の区分が胴の外周面において第２の部分を有しており、
第２の区分に可動に取り付けられた周面部分を第１の区分と接触させ、周面部分を内方へ押しつけ、接触が生じた時、周面部分が第２の区分に対して半径方向内方へ自由に回転可能であることを特徴とする、折り機における胴におけるモードを変更する方法。
【請求項１５】
折り機における胴におけるモードを変更する方法において、
胴の第１の区分を第２の区分に対して移動させて第１の区分と第２の区分との間の間隙を狭め、第１の区分が、胴の外周面における第１の部分を有しており、第２の区分が、胴の外周面における第２の部分を有しており、
第２の区分に可動に取り付けられた周面部分の半径方向に延びた傾斜した面を第１の区分と接触させて周面部分を内方へ押しつけ、半径方向に延びた傾斜した面が外周面に面していることを特徴とする、折り機における胴におけるモードを変更する方法。
【発明の詳細な説明】
【技術分野】
【０００１】
本発明は、被印刷製品のための折り機、特に回転する胴を有する折り機に関する。
【０００２】
引用により全体が本明細書に記載されことになる米国特許第６３６７７９２号明細書は、コピー案内胴と、くわえ胴と、横折り胴とを有するジョウフォルダを開示している。フォルダは、ダブルパラレルフォールド折りモードと、デルタフォールド折りモードとを有する。コピー案内胴は、グリッパと、コピー案内胴の折りブレードとに割り当てられた周面部分を有する。デルタ折りモードにおいては、グリッパに割り当てられた円周部分は胴表面の一部を形成するように押し出されるのに対して、折りブレードに割り当てられた円周部分はそこに引き込まれている。胴の可動セグメントに取り付けられた案内エレメントは、周面部分を、押し出された位置と引き込まれた位置との間で、周面部分に取り付けられたフォロアエレメントを介して移動させる。周面部分が引き込まれたとき、表面には空間が残っている。
【０００３】
引用により全体が本明細書に記載されたことになる米国特許第５４２９５７８号明細書は、２分の１裁断位置と３分の１裁断位置とを有する渡し胴を備えた折り機を開示している。クロージャプレートと呼ばれる、摺動する周面部分は、３分の１裁断位置において円周開口を減じる。
【０００４】
発明の簡単な概要
本発明の目的は、可動な円周部分の複雑さを減じることである。
【０００５】
本発明の別の択一的な又は付加的な目的は、このような部分のコストを減じることである。
【０００６】
本発明のさらに別の択一的な又は付加的な目的は、周面部分の改良された動作を提供することである。
【０００７】
本発明は、外周面を備えた折り胴を提供し、この折り胴は、
胴の外周面における第１の部分を有する第１の区分と、
胴の外周面における第２の部分を有する第２の区分とが設けられており、第１の区分が第２の区分に対して可動であり、第１の部分が、第１の動作モードにおいて外周面において第２の部分から所定の間隙によって離間されており、
第２の区分に対して可動に取り付けられた周面部分が設けられており、該周面部分が、第１の動作モードの間、間隙において、外周面の部分を規定しており、該周面部分が、外周面に配置されているときには第２の区分に対して半径方向内方へ自由に回転可能である。
【０００８】
半径方向内方へ回転自在な周面部分を有することによって、周面部分の動作を規定するガイドエレメントは、有利には排除されることができ、より単純な引込み装置を提供する。
【０００９】
胴は、半径方向内方とは反対の方向への周面部分の回転を阻止するために第２区分にストッパを有することができる。
【００１０】
胴は、好適には、半径方向内方とは反対に周面部分を押しつけるためのばねを有する。
【００１１】
第１の部分は好適には、第２の動作モードの間、周面部分を半径方向内方へ押しつけるように周面部分に接触する。
【００１２】
折り胴は、第１の区分に取り付けられた第１のジョウと、第２の区分に取り付けられた第２のジョウとを有しているが、本発明は、その他の折り胴、例えばタッキング胴にも適用可能である。
【００１３】
本発明は、外周面を備えたフォルダ胴をも提供し、この折り胴には、
胴の外周面における第１の部分を有する第１の区分と、
胴の外周面における第２の部分を有する第２の区分とが設けられており、第１の区分が第２の区分に対して可動であり、第１の部分が、第１の動作モードにおいて、外周面における第２の部分から、ギャップによって離間されており、
第２の区分に可動に取り付けられた周面部分が設けられており、該周面部分が、第１の動作モードの間、間隙において外周面の一部を形成しており、周面部分が、周面部分を第１の部分の下側へ引き込むように第１の区分と相互作用するための、外周面に面した半径方向に延びた傾斜した面を有している。
【００１４】
周面部分の傾斜した面は、周面部分を引っ込めるための単純かつ有効な方法を提供する。なぜならば、傾斜面に対する力が、周面部分を引っ込めさせるからである。
【００１５】
傾斜した面は好適には、第１の区分と同じ軸方向範囲を有している。
【００１６】
本発明は、折り機における胴においてモードを変更する方法をも提供し、この方法は、
第１の区分と第２の区分との間の間隙を狭めるために胴の第１の区分を第２の区分に対して移動させ、第１の区分が胴の外周面において第１の部分を有しており、第２の区分が胴の外周面において第２の部分を有しており、
周面部分を内方へ押し込むために、第２の区分に可動に取り付けられた周面部分を第１の区分と接触させ、接触が生じた場合に周面部分は第２の区分に対して半径方向内方へ自由に回転可能である。
【００１７】
本発明はさらに、折り機において胴のモードを変更する方法を提供し、この方法は、
第１の区分と第２の区分との間のギャップを狭めるために胴の第１の区分を第２の区分に対して移動させ、第１の区分が胴の外周面において第１の部分を有しており、第２の区分が胴の外周面において第２の部分を有しており、
周面部分を内方へ押し込むために、第２の区分に可動に取り付けられた周面部分の半径方向に延びた傾斜した面を第１の区分と接触させ、半径方向に延びた傾斜した面が外周面に面している。
【００１８】
図面の簡単な説明
本発明の典型的な実施形態は以下に以下の図面を参照することによって説明される：
図１は本発明による折り機の側面図を示しており；
図２は、本発明による図１の折り機のくわえ胴の側面図を示しており、くわえ胴はダブルパラレルモードにあり；
図３は、図２の部分的な斜視図を示しており；
図４は、デルタモードにおける図２のくわえ胴の部分的な側面図を示している。
【００１９】
詳細な説明
図１は、ウェブ１３を折り畳むためのフォーマ１２と、ウェブをコピー、すなわち折丁に裁断するための裁断装置１４とを有するピンレス折り機１０を部分的に示している。第１のタッキング胴２０は、交互に設けられたグリッパとタッカとを有しており、タッカは折丁をくわえ胴３０の第１のジョウ３２に押し込む。次いで、折丁は、ダブルパラレル折りのために第２のタッキング胴４０へ搬送され、この第２のタッキング胴はグリッパ４２とタッカ４４とを有している。タッカ４４は第２の折りをくわえ胴３０の第２のジョウ３４に押し込み、この第２のジョウは、さらに搬送するために折丁を解放することができる。
【００２０】
図２に示したように、くわえ胴３０は、第１のジョウスパイダ６２に取り付けられた第１のジョウ３２と、第２のジョウスパイダ６４に取り付けられた第２のジョウ３４とを有している。第１のジョウスパイダ６２は、くわえ胴３０の外周面３８における部分６６を有しており、第２のジョウスパイダ６４は外周面３８における部分６８を有している。
【００２１】
図２及び図３に示したように、周面部分７０は部分６６と６８との間の間隙９０において取り付けられている。周面部分７０は、両方の軸方向端部においてボルト７４を介して部分６６に回転可能に取り付けられている。支持体７２はボルト８０を介して周面部分７０に固定されており、ボルト７４は支持体７２の他方の端部を貫通しておりかつ部分６６に結合されている。ばね７６は、周面部分７０を方向Ｄに負荷している。ストッパ７８は方向Ｄでの移動を阻止するが、部分６６と７０との相互作用も、周面部分７０が外周面３８を超えて移動するのを阻止する。したがって、周面部分７０は、外周面に配置されている時、半径方向内方Ｒへ自由に回転可能である。
【００２２】
図３に示したように、部分７０と部分６６及び６８は、軸方向Ａで同じ軸方向範囲を有しており、部分６６，６８，７０における溝は、同じ軸方向位置に設けられている。
【００２３】
図２に示したように、周面部分７０は、外周面３８に面した半径方向に延びた傾斜した面７１を有している。面７１は、部分６８の半径方向に延びた傾斜した面６９と相互作用することができ、面６９は外周面３８とは反対側に面している。
【００２４】
例えばつかみ胴３０をデルタ折りモードに移動させるためのモード変更の間、第１及び第２のジョウスパイダ６２，６４は、ジョウ３２と３４との間の間隔Ｓを拡大するように変化させられる。部分６８は周面部分７０に接触し、傾斜した面７１及び６９の相互作用によって、部分６８は半径方向内方へ方向Ｒに押し込まれ、部分６８は周面部分７０の下側へ押し込まれる。
【００２５】
図４は、デルタモードにおける図２のくわえ胴の部分的な側面図を示している。スパイダ６２，６４は、図２の状態から相対的に移動しており、部分６８の半径方向に延びた傾斜した面６９は、周面部分７０の半径方向に傾斜した面７１と接触している。その結果、部分７０は、ボルト７４を中心に、ばね７６の作用に抗して、ストッパ７８から離れる方向に、方向Ｒに回転している。部分７０の外面７３は、部分６８の下側に当接している。
【００２６】
好適な実施形態は、くわえ胴と共に使用された本発明を示しているが、本発明は、その他の折り機の胴に適用可能である。
【図面の簡単な説明】
【００２７】
【図１】本発明による折り機の側面図を示している。
【図２】本発明による図１の折り機のくわえ胴の側面図を示しており、くわえ胴はダブルパラレルモードにある。
【図３】図２の部分的な斜視図を示している。
【図４】デルタモードにおける図２のくわえ胴の部分的な側面図を示している。
【符号の説明】
【００２８】
１０  折り機、  １２  フォーマ、  １３  ウェブ、  １４  裁断装置、  ２０  第１のタッキング胴、  ３０  くわえ胴、  ３２  第１のジョウ、  ３４  第２のジョウ、  ３８  外周面、  ４０  第２のタッキング胴、  ４２  グリッパ、  ４４  タッカ、  ６２  第１のジョウスパイダ、  ６４  第２のジョウスパイダ、  ６６  部分、  ６８  部分、  ７０  周面部分、  ７１  半径方向に延びた傾斜した面、  ７２  支持体、  ７３  外面、  ７４  ボルト、  ７６  ばね、  ７８  ストッパ、  ８０  ボルト、  ９０  間隙
【図１】
2007501754.tif 000003
【図２】
2007501754.tif 000004
【図３】
2007501754.tif 000005
【図４】
2007501754.tif 000006
【国際調査報告】
2007501754.tif 000007
2007501754.tif 000008